(57)【要約】【課題】把持対象物が一対の把持腕の内部に脱落することなく、確実に把持できる間接活線工事用アダプタを提供する。【解決手段】アダプタ１０は、ブロック状のアダプタ本体１、係止手段２、及び帯板状部材３を備える。対向する一対の把持面１０ａ・１０ａの間に把持対象物を挟持できる。アダプタ本体１は、把持爪７１ａ又は把持爪７１ｂが挿入可能な凹部１１ｈを底面に開口している。係止手段２、アダプタ本体１に取り付け、把持爪７１ａ又は把持爪７１ｂの把持面と反対面から把持爪７１ａ又は把持爪７１ｂを固定できる。帯板状部材３は、アダプタ本体１に一端部を固定し、回動軸７ｃ側に向かって延び、把持腕７ａ又は把持腕７ｂの湾曲した内壁に沿って配置される。一対の帯板状部材３・３は、柔軟性を有する素材からなる複数の棒状突起３ｔを対向面に植設している。【選択図】図３
2015006039.tif 000002
【特許請求の範囲】
【請求項１】
絶縁操作棒の先端部に設けた一対の開閉する湾曲した把持腕に取り付け、対向する把持面の間に把持対象物を挟持可能な、一組で構成される間接活線工事用アダプタであって、
前記把持腕から遠心方向に突出する把持爪が挿入可能な凹部を底面に開口したブロック状のアダプタ本体と、
このアダプタ本体に取り付け、前記把持爪の把持面と反対面から当該把持爪を固定する係止手段と、
前記アダプタ本体に一端部を固定すると共に、一対の前記把持腕が回動可能に連結した回動軸側に向かって延び、前記把持腕の湾曲した内壁に沿って配置される帯板状部材と、を備え、
一対の前記帯板状部材は、柔軟性を有する素材からなる複数の棒状突起を対向面に植設している間接活線工事用アダプタ。
【請求項２】
前記アダプタ本体は、前記把持腕に設けた把持爪と同形状の延長把持爪を先端部から突出している請求項１記載の間接活線工事用アダプタ。
【請求項３】
前記アダプタ本体は、その把持面にゴム板を取り付けている請求項１又は２記載の間接活線工事用アダプタ。
【請求項４】
前記係止手段は、
先端部が前記凹部から突出できると共に、前記把持爪の把持面と反対面から当該把持爪に当接する係合ピンと、
前記アダプタ本体の内部に保持され、前記係合ピンが前記把持爪に向かう力を付勢する圧縮コイルばねと、を有している請求項１から３のいずれかに記載の間接活線工事用アダプタ。
【請求項５】
前記帯板状部材は、絶縁性を有する合成樹脂からなり、
前記帯板状部材は、複数の前記棒状突起を一体に成形している請求項１から４のいずれかに記載の間接活線工事用アダプタ。
【発明の詳細な説明】
【技術分野】
【０００１】
本発明は、間接活線工事用アダプタに関する。特に、絶縁操作棒などの間接活線工具の先端部に設けた一対の開閉する把持腕に取り付け、細径の電線などを確実に把持できる間接活線工事用アダプタの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁ヤットコを用いて、電線を把持する作業の他に、電線に防護管を被せる作業、又は電柱に営巣されたカラスの巣を除去する作業などが実施されている。
【０００５】
図５は、遠隔把持用の絶縁操作棒の一例を示す正面図であり、図５（Ａ）は、絶縁操作棒の基端部側を示し、図５（Ｂ）は、絶縁操作棒の先端部側を示している。又、図６は、図５に示した絶縁操作棒の先端部を拡大した正面図である。
【０００６】
図５又は図６を参照すると、間接活線工具となる絶縁操作棒（いわゆる、絶縁ヤットコ）７０は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【０００７】
図５又は図６を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【０００８】
図５又は図６を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【０００９】
図６を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図６は、一方の把持腕７ａに対して、他方の把持腕７ｂが最大に開いた状態を示している。
【００１０】
図６を参照して、一方の把持腕７ａは、先細り状の把持爪７１ａを突出している。把持爪７１ａは、把持面７０ａを形成している。把持面７０ａは、操作棒７１の軸中心と略平行に配置されている。同様に、他方の把持腕７ｂは、先細り状の把持爪７１ｂを突出している。把持爪７１ｂは、把持面７０ｂを形成している。把持面７０ｂは、把持面７０ａと所定の開角を設けて配置されている。図５又は図６を参照して、操作レバー７４を握ると、把持面７０ｂを把持面７０ａに近づけることができる。
【００１１】
ところで、図５又は図６に示した把持工具７２は、電線や直線スリーブなどの略円形の断面を有する把持対象物を平坦な把持面７０ａ・７０ｂで確実に把持することが難しいという不具合があった。このような不具合を解消するため、一対の湾曲した把持腕７ａ・７ｂにゴムなどの弾性部材を被せ、これらの弾性部材の湾曲面で略円形断面の把持対象物を確実に把持できる絶縁操作棒が開示されている（例えば、特許文献１参照）。
【００１２】
一方、図５又は図６に示した把持工具７２は、電線や直線スリーブなどの硬い把持対象物を一対の把持爪７１ａ・７１ｂで掴むことはできるが、蛇などを掴む場合は、一対の湾曲した把持腕７ａ・７ｂ側に逃げてしまうという不具合があった。
【００１３】
このような不具合を解消するため、把持爪の先端部に取り付け可能な一組の間接活線工事用アダプタであって、互いに向かい合う面には、揺動板を貼り付けていると共に、鋸歯状の突起が対向するように配置された帯状のゴム板を底部が連結するように、一対の揺動板に貼着している間接活線工事用アダプタが開示されている（例えば、特許文献２参照）。
【先行技術文献】
【特許文献】
【００１４】
【特許文献１】特開２０１１−９７７８５号公報
【特許文献２】特開２０１２−１５７１２１号公報
【発明の概要】
【発明が解決しようとする課題】
【００１５】
しかしながら、特許文献１による絶縁操作棒は、細径の電線などを一対の湾曲した弾性部材付き把持腕を把持することが困難であるという問題がある。細径の電線などを確実に把持する絶縁操作棒が求められている。
【００１６】
一方、特許文献２による間接活線工事用アダプタは、蛇などを回動軸側に逃がすことなく、確実に把持できるが、細径の電線などを把持する場合には、電線の直径の最大値と最小値の範囲が狭いという問題がある。回動軸側に逃げる細径の電線をその直径に限定されることなく、確実に把持できる間接活線工事用アダプタが求められている。そして、以上のことが本発明の課題といってよい。
【００１７】
本発明は、このような課題に鑑みてなされたものであり、絶縁操作棒などの間接活線工具の先端部に設けた一対の開閉する把持腕に取り付けでき、一対の把持腕の内部に脱落することなく、細径の電線などを確実に把持できる間接活線工事用アダプタを提供することを目的とする。
【課題を解決するための手段】
【００１８】
本発明者は、一組の間接活線工事用アダプタを絶縁操作棒の先端部に設けた一対の湾曲した把持腕の把持爪に取り付け、これらの間接活線工事用アダプタには、回動軸側に向かって延び、把持腕の湾曲した内壁に沿って配置される帯板状部材を取り付け、これらの対向面には、柔軟性を有する素材からなる複数の突起を植設することにより、細径の電線などが把持腕の内部に脱落することなく、確実に把持できることを見出し、これに基づいて、以下のような新たな間接活線工事用アダプタを発明するに至った。
【００１９】
（１）本発明による間接活線工事用アダプタは、絶縁操作棒の先端部に設けた一対の開閉する湾曲した把持腕に取り付け、対向する把持面の間に把持対象物を挟持可能な、一組で構成される間接活線工事用アダプタであって、前記把持腕から遠心方向に突出する把持爪が挿入可能な凹部を底面に開口したブロック状のアダプタ本体と、このアダプタ本体に取り付け、前記把持爪の把持面と反対面から当該把持爪を固定する係止手段と、前記アダプタ本体に一端部を固定すると共に、一対の前記把持腕が回動可能に連結した回動軸側に向かって延び、前記把持腕の湾曲した内壁に沿って配置される帯板状部材と、を備え、一対の前記帯板状部材は、柔軟性を有する素材からなる複数の棒状突起を対向面に植設している。
【００２０】
（２）前記アダプタ本体は、前記把持腕に設けた把持爪と同形状の延長把持爪を先端部から突出していることが好ましい。
【００２１】
（３）前記アダプタ本体は、その把持面にゴム板を取り付けていることが好ましい。
【００２２】
（４）前記係止手段は、先端部が前記凹部から突出できると共に、前記把持爪の把持面と反対面から当該把持爪に当接する係合ピンと、前記アダプタ本体の内部に保持され、前記係合ピンが前記把持爪に向かう力を付勢する圧縮コイルばねと、を有していてもよい。
【００２３】
（５）前記帯板状部材は、絶縁性を有する合成樹脂からなり、前記帯板状部材は、複数の前記棒状突起を一体に成形していることが好ましい。
【発明の効果】
【００２４】
本発明による間接活線工事用アダプタは、回動軸側に向かって延び、把持腕の湾曲した内壁に沿って配置される帯板状部材を備え、一対の帯板状部材は、柔軟性を有する素材からなる複数の棒状突起を対向面に植設しているので、細径の電線などが一対の把持腕の内部に脱落することなく、細径の電線などを一対の帯板状部材で確実に把持できる。
【図面の簡単な説明】
【００２５】
【図１】本発明の一実施形態による間接活線工事用アダプタの構成を示す正面図であり、一対の把持腕が最も開角した状態で、一対の把持腕に一組の間接活線工事用アダプタを取り付けた状態図である。
【図２】前記実施形態による間接活線工事用アダプタの要部を縦断面で示す正面図であり、一対の把持腕が最も開角した状態で、一対の把持腕に一組の間接活線工事用アダプタを取り付けた状態図である。
【図３】図２の状態変化図であり、一対の把持腕を閉じて、一対の帯板状部材が閉じた状態を示す正面図である。
【図４】前記実施形態による間接活線工事用アダプタの構成を示す図であり、図４（Ａ）は、一方の間接活線工事用アダプタの斜視図、図４（Ｂ）は、一方の間接活線工事用アダプタの要部縦断面図、図４（Ｃ）は、一方の間接活線工事用アダプタの要部横断面図である。
【図５】本発明に係る絶縁操作棒の一例を示す正面図であり、図５（Ａ）は、絶縁操作棒の基端部側を示し、図５（Ｂ）は、絶縁操作棒の先端部側を示している。
【図６】図５に示した絶縁操作棒の先端部を拡大した正面図である。
【発明を実施するための形態】
【００２６】
以下、図面を参照して本発明を実施するための形態を説明する。
［間接活線工事用アダプタの構成］
最初に、本発明の一実施形態による間接活線工事用アダプタの構成を説明する。
【００２７】
図１は、本発明の一実施形態による間接活線工事用アダプタの構成を示す正面図であり、一対の把持腕が最も開角した状態で、一対の把持腕に一組の間接活線工事用アダプタを取り付けた状態図である。
【００２８】
図２は、前記実施形態による間接活線工事用アダプタの要部を縦断面で示す正面図であり、一対の把持腕が最も開角した状態で、一対の把持腕に一組の間接活線工事用アダプタを取り付けた状態図である。図３は、図２の状態変化図であり、一対の把持腕を閉じて、一対の帯板状部材が閉じた状態を示す正面図である。
【００２９】
図４は、前記実施形態による間接活線工事用アダプタの構成を示す図であり、図４（Ａ）は、一方の間接活線工事用アダプタの斜視図、図４（Ｂ）は、一方の間接活線工事用アダプタの要部縦断面図、図４（Ｃ）は、一方の間接活線工事用アダプタの要部横断面図である。
【００３０】
図１から図４を参照すると、本発明の一実施形態による間接活線工事用アダプタ（以下、アダプタと略称する）１０は、ブロック状のアダプタ本体１、係止手段２、及び帯板状部材３を備えている。
【００３１】
（アダプタ本体の構成）
図１から図３を参照すると、アダプタ本体１は、絶縁操作棒７０の先端部に設けた一対の開閉する湾曲した把持腕７ａ・７ｂに取り付けことができる（図６参照）。又、アダプタ本体１は、対向する一対の把持面１０ａ・１０ａの間に電線Ｗなどの把持対象物を挟持できる。なお、把持面１０ａには、ゴム板１０ｇを取り付けておくことが好ましい。
【００３２】
図４を参照すると、アダプタ本体１は、凹部１１ｈを底面に開口している。凹部１１ｈには、一対の把持腕７ａ・７ｂから遠心方向に突出する把持爪７１ａ又は把持爪７１ｂを挿入できる（図２参照）。
【００３３】
又、図１から図４を参照すると、アダプタ本体１は、帯状の取り付け片１１を基端部側に突出している。取り付け片１１には、帯板状部材３を固定できる。取り付け片１１には、帯板状部材３を図示しない雄ねじなどで固定するための雌ねじ穴１１ｓを設けている（図４（Ａ）参照）。更に、アダプタ本体１は、把持腕７ａ又は把持腕７ｂに設けた把持爪７１ａ又は把持爪７１ｂと同形状の延長把持爪１２を先端部から突出している。
【００３４】
（係止手段の構成）
図４を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が凹部１１ｈの内部に突出している（図４（Ｂ）参照）。鍔部２１ｆは、円筒部２ｐの上端縁に当接している。
【００３５】
図４（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が凹部１１ｈの内部に突出する力を付勢している。
【００３６】
図４（Ａ）又は図４（Ｂ）を参照して、鍔部２１ｆを把持して、圧縮コイルばね２２の弾性力に抗して、係合ピン２１を引き上げると、把持爪７１ａ又は把持爪７１ｂを凹部１１ｈに収容できる（図２参照）。そして、鍔部２１ｆを解放すると、把持爪７１ａ又は把持爪７１ｂの把持面と反対面から把持爪７１ａ又は把持爪７１ｂに係合ピン２１の先端部を当接できる。把持爪７１ａ又は把持爪７１ｂには、係合ピン２１の先端部が進入する窪み７ｄを設けることが好ましい（図２又は図３参照）。
【００３７】
図４（Ｂ）又は図４（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００３８】
図４（Ｂ）又は図４（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪７１ａ又は把持爪７１ｂを凹部１１ｈに収容した後に、係合ピン２１を逆方向に回動することで、アダプタ本体１を把持爪７１ａ又は把持爪７１ｂに固定できる。
【００３９】
（帯板状部材の構成）
図１から図３を参照すると、帯板状部材３は、図示しない皿ねじなどを用いて、その一端部を取り付け片１１に固定している。帯板状部材３は、回動軸７ｃ側に向かって延び、把持腕７ａ又は把持腕７ｂの湾曲した内壁に沿って配置されている。一対の帯板状部材３・３は、柔軟性を有する素材からなる複数の棒状突起３ｔをそれらの対向面に植設している。
【００４０】
図１から図３を参照すると、帯板状部材３は、ポリアミド（Ｐｏｌｙａｍｉｄｅ）など、絶縁性を有する合成樹脂からなることが好ましく、複数の棒状突起３ｔを一体に成形している。棒状突起３ｔの先端縁は、球面を形成することが好ましい。
【００４１】
［間接活線工事用アダプタの作用］
次に、実施形態によるアダプタ１０の操作方法を説明しながら、アダプタ１０の作用及び効果を説明する。
【００４２】
図１から図３を参照すると、アダプタ１０は、把持爪７１ａ又は把持爪７１ｂを凹部１１ｈに挿入し（図４参照）、係合ピン２１で固定できる。一組のアダプタ１０・１０は、対向する一対の把持面１０ａ・１０ａの間に電線Ｗなどの把持対象物を挟持できる。把持面１０ａにゴム板１０ｇを取り付けておくことで、電線Ｗなどの把持対象物との滑りを抑制できる。
【００４３】
図１又は図２に示した状態から、操作レバー７４を握って、操作レバー７４を操作棒７１に近づけると（図５参照）、一方のアダプタ１０に対して、他方のアダプタ１０を閉じることができる（図３参照）。図３に示した状態では、対向する複数の棒状突起３ｔが先端部側で互いに噛み合って、細径の電線Ｗなどが一対の把持腕７ａ・７ｂの内部に脱落することを防止できる。
【００４４】
又、図３を参照すると、一対のアダプタ１０・１０を閉じた状態では、一対の帯板状部材３・３が互いに近づき、それらの対向面に植設した複数の棒状突起３ｔで、細径の電線Ｗなどを確実に把持できる。
【００４５】
このように、実施形態によるアダプタ１０は、回動軸７ｃ側に向かって延び、一対の把持腕７ａ・７ｂの湾曲した内壁に沿って配置される帯板状部材３を備え、一対の帯板状部材３・３は、柔軟性を有する素材からなる複数の棒状突起３ｔを対向面に植設しているので、細径の電線Ｗなどが一対の把持腕７ａ・７ｂの内部に脱落することなく、細径の電線Ｗなどを一対の帯板状部材３・３で確実に把持できる。
【００４６】
又、実施形態によるアダプタ１０は、把持腕７ａ又は把持腕７ｂに設けた把持爪７１ａ又は把持爪７１ｂと同形状の延長把持爪１２をアダプタ本体１の先端部から突出しているので、図示しない別の間接活線工事用アダプタを増設することもできる。
【００４７】
本発明による間接活線工事用アダプタは、次のような効果が奏される。
（１）既存の絶縁操作棒（いわゆる、絶縁ヤットコ）を利用できる。
（２）絶縁ヤットコとして従来と同じ操作が可能である。
（３）本発明による間接活線工事用アダプタを取り付けた状態で別の間接活線工事用アダプタを増設できる。
（４）把持対象物の外形の適用範囲が広く、確実に把持できる。
【００４８】
本発明は、絶縁操作棒などを用いて、無停電状態の高圧配電線を間接的に活線工事できる間接活線工事用アダプタを開示したが、本発明のアダプタは、間接活線工事用に限定されることなく、他の分野でも応用されることが期待される。
【符号の説明】
【００４９】
１  アダプタ本体
２  係止手段
３  帯板状部材
３ｔ  棒状突起
７ａ・７ｂ  一対の把持腕
１０  アダプタ（間接活線工事用アダプタ）
１１ｈ  凹部
７０  絶縁操作棒
７１ａ・７１ｂ  一対の把持爪
Ｗ  電線（把持対象物）
【図１】
2015006039.tif 000003
【図２】
2015006039.tif 000004
【図３】
2015006039.tif 000005
【図４】
2015006039.tif 000006
【図５】
2015006039.tif 000007
【図６】
2015006039.tif 000008